(57)【特許請求の範囲】
【請求項１】
光学素子を保持する被保持部と、
前記被保持部を前記光学素子の光軸に直交する平面内で移動可能に支持する保持部と、
前記保持部に対して移動可能に設けられ、前記被保持部に当接支持して前記被保持部の位置決めを行う２つの位置決め用部材と、
前記位置決め用部材に対向する位置に設けられ、弾性を有する弾性部材と該弾性部材の弾性力を介して前記被保持部を当接支持する当接部材とから構成された抗圧部材と、
前記位置決め用部材に対向して前記抗圧部材に加圧力を与えることで前記被保持部の固定を行う固定部と、
を備え、
前記固定部は、
前記保持部に対して移動可能に設けられ、前記抗圧部材に加圧力を伝達する加圧部材と、
一端が前記加圧部材に当接するレバー部材と、
前記レバー部材を回転自在に保持する支持部材と、
前記位置決め用部材に並行するように延設され、前記保持部に対して前記延設方向に摺動可能で前記レバー部材の他端に当接し、前記摺動によって前記支持部材を中心に前記レバー部材を回転させることで前記加圧部材を移動させる摺動部材と、
を有することを特徴とする位置決め固定装置。
【請求項２】
前記位置決め用部材と前記摺動部材とは、それぞれ位置決め操作用の位置決め用つまみと固定操作用の固定用つまみとを有し、
前記位置決め用つまみと前記固定用つまみとが、前記保持部に対して並行して設けられることを特徴とする請求項１記載の位置決め固定装置。
【請求項３】
前記位置決め用部材の移動方向と前記摺動部材の移動方向とが同一方向であり、位置決め用部材による位置決め操作と固定部による固定操作が同一方向から可能であることを特徴とする請求項１記載の位置決め固定装置。
【発明の詳細な説明】
【０００１】
【発明の属する技術分野】
本発明は、絞りや光学部材を含む光学装置の位置を調整・固定するための位置決め固定装置に関するものである。
【０００２】
【従来の技術】
光学装置の位置を調整するための位置決め装置は、光学装置に広く使用されており、例えば絞り開閉装置等にも用いられている。この絞り開閉装置は、顕微鏡の投光装置にも内蔵されており、顕微鏡観察における視野絞り・開放絞りの役割を果たす装置である。良好な観察像を得るためには、これらの視野絞り・開放絞りの中心を照明光軸上に合わせる芯出し調整操作が必要である。このため、一般的な絞り開閉装置には、位置決め機構である芯出し機構が内蔵されている。
【０００３】
この芯出し調整機構付きの絞り開閉装置としては、特開平８−５９７２４６号公報に記載された技術が知られている。
【０００４】
図８は、従来の芯出し調整機構付きの絞り開閉装置の概略構成を示す図である。
【０００５】
この芯出し調整機構付きの絞り開閉装置は、絞り羽根の開閉をおこなう絞り羽根部１０１と、絞り羽根部１０１を支持する支持部１０２と、支持部１０２を移動可能に保持する保持部１０３とで構成されている。保持部１０３にはプランジャー１０４が設けられ、このプランジャー１０４の先端が支持部１０２の外面に当接している。そして保持部１０３には２本の芯出し操作ツマミ１０５、１０６がねじ込まれ、その先端部が支持部１０２の外面に当接し、プランジャー１０４を含めた３点で支持部１０２を保持している。芯出し操作ツマミ１０５、１０６を操作して、支持部１０２への加圧力を変化させると、プランジャー１０４が伸縮し、支持部１０２の位置を調整することができる。
【０００６】
【発明が解決しようとする課題】
しかしながら、このような機構を組み込んだ装置を輸送するとき又は移動型の装置にこのような機構を組み込んだときには、移動などに伴って発生する振動で絞り羽根部１０１及び支持部１０２が遊動し共振してしまう場合がある。これは、プランジャー１０４のバネに遊びが残っているため、絞り羽根部１０１を支持する支持部１０２は、３点で支持され固定された後でも固定しきれていないからである。
【０００７】
特に自動で絞りの開閉を行う装置の場合、モータ等の駆動部品が絞り羽根部１０１に加わるため自重が増加し、振動の影響を受けやすくなる。従って、大きな振動が作用する装置に本機構を適用したときには、最悪の場合この振動の衝撃により絞り羽根部１０１の部品が破損してしまうことも考えられる。
【０００８】
本発明は、係る事情に鑑みてなされたものであって、絞りや光学部材を含む光学装置の位置を確実に調整・固定することのできる位置決め固定装置を提供することを目的とする。
【０００９】
【課題を解決するための手段】
上記課題を解決するための本発明は、光学素子を保持する被保持部と、前記被保持部を前記光学素子の光軸に直交する平面内で移動可能に支持する保持部と、前記保持部に対して移動可能に設けられ、前記被保持部に当接支持して前記被保持部の位置決めを行う２つの位置決め用部材と、前記位置決め用部材に対向する位置に設けられ、弾性を有する弾性部材と該弾性部材の弾性力を介して前記被保持部を当接支持する当接部材とから構成された抗圧部材と、前記位置決め用部材に対向して前記抗圧部材に加圧力を与えることで前記被保持部の固定を行う固定部と、を備え、前記固定部は、前記保持部に対して移動可能に設けられ、前記抗圧部材に加圧力を伝達する加圧部材と、一端が前記加圧部材に当接するレバー部材と、前記レバー部材を回転自在に保持する支持部材と、前記位置決め用部材に並行するように延設され、前記保持部に対して前記延設方向に摺動可能で前記レバー部材の他端に当接し、前記摺動によって前記支持部材を中心に前記レバー部材を回転させることで前記加圧部材を移動させる摺動部材と、を有する位置決め固定装置である。
【００１０】
また本発明は、上記記載の発明である位置決め固定装置において、前記位置決め用部材と前記摺動部材とは、それぞれ位置決め操作用の位置決め用つまみと固定操作用の固定用つまみとを有し、前記位置決め用つまみと前記固定用つまみとが、前記保持部に対して並行して設けられる。
【００１１】
また本発明は、上記記載の発明である位置決め固定装置において、前記位置決め用部材の移動方向と前記摺動部材の移動方向とが同一方向であり、位置決め用部材による位置決め操作と固定部による固定操作が同一方向から可能である。
【００１２】
【発明の実施の形態】
以下本発明の実施形態を図面を参照して説明する。
【００１３】
図１，図２は本発明の第１の実施形態に係る光学装置の位置決め固定装置の概略構成図を示し、図１は装置の光軸と平行な方向から見た断面で示す構造図、図２はＡＡ線に沿って矢印方向から見た装置の断面で示す構造図である。
【００１４】
ここで、光学装置１０は絞り又は光学硝子等の光学部材を含む装置であり、良好な照明性能を得るために光軸等の位置調整が必要とされるものである。尚、光学装置１０の詳細の構成図は省略してある。
【００１５】
この光学装置１０は後述する位置決め固定装置を支持部（被保持部）２０を介してボルト２１にて固定しており、光学装置取付け面２２の反対側面にはオスアリ部２３が設けられている。そして、このオスアリ部２３には、照明光を通過させて光学装置１０に照明光を導くための、光軸Ｌ１を中心軸とする貫通した孔部２４が設けられている。
【００１６】
ここで、「オスアリ部」とは、所謂アリ溝に収めるように加工された突起物の部分のことをいう。この突起物は外形が外に広がるテーパ形状、ここでは図１に示すように円錐形状（丸アリ）をなしている。従って、このオスアリ部の光軸Ｌ１に垂直な平面での断面形状は円形に限定されるものではない。
【００１７】
また、位置決め固定装置の保持部３０にも、貫通した孔部３１を有し、オスアリ部２３が挿入可能な円形状の凹部３２が設けられ、その凹部３２に支持部２０のオスアリ部２３が凹部３２の径方向に移動自在に挿入され、照明光は孔部３１と孔部２４を通過して光学装置１０に入射されるように構成されている。
【００１８】
一方、保持部３０には、凹部３２の中心を通る照明光軸Ｌ１に垂直な方向に、保持部３０の側面３８から凹部３２まで貫通して穿孔された平行した２ヶ所のネジ孔部３３，３４を有している。位置決め用つまみ４０は、操作するための柄部４１と保持部３０のネジ孔部３３，３４にねじ込むためのネジ部４２を有し、その先端部４３は球形になっている。
【００１９】
保持部３０の凹部３２に挿入された支持部２０のオスアリ部２３の外周部には２ヶ所のネジ孔部３３，３４にねじ込まれた２つの位置決め用つまみ４０の先端部４３が当接し、光軸Ｌ１側方向にそれぞれ加圧力Ｆ１，Ｆ２、保持部３０の凹部３２底面側に押圧力Ｆ４が働くようになっている。
【００２０】
一方、保持部３０の２つの位置決め用つまみ４０の設けられている面と、オスアリ部２３を中心として対称な面には、凹部３２の中心に向かって貫通した摺動孔３５が設けられている。この摺動孔３５には、支持部２０のオスアリ部２３の外周部に当接し、２つの位置決め用つまみ４０の加圧力Ｆ１，Ｆ２に対向した力Ｆ３を加えるための抗圧部材５０が挿入されている。抗圧部材５０はオスアリ部２３の外周部と接するボール５１等の当接部材と伸縮により弾性力を発生させるコイルバネ５２等の弾性部材とから構成され、コイルバネ５２の端面に接したボール５１がコイルバネ５２の弾性力によって支持部２０のオスアリ部２３の外側周壁部分を加圧するようになっている。
【００２１】
尚、本実施形態ではコイルバネ５２を用いているが、本発明はこの例に限定されるものではなく、板バネ、ゴム等といった伸縮によって弾性力を発生させるものであれば用いることが可能である。
【００２２】
この抗圧部材５０のコイルバネ５２の一端に円筒形状の加圧部材６０が当接し、摺動孔３５の中で摺動可能な状態になっている。保持部３０の摺動孔３５の軸線上には、ネジ孔部３６が設けられ、固定用つまみ９０がねじ込まれている。固定用つまみ９０は、ねじ込み操作するための柄部９１と保持部３０のネジ孔部３６にねじ込むためのネジ部９２を有しており、先端部９３が加圧部材６０の他端と当接している。
【００２３】
ここで、固定用つまみ９０を保持部３０にねじ込み、進退させると、加圧部材６０に加圧力が伝達され、抗圧部材５０のコイルバネ５２が伸縮して支持部２０のオスアリ部２３の外側周壁部分を加圧する。２つの位置決め用つまみ４０による加圧力と固定用つまみ９０の加圧力によって、コイルバネ５２は、伸縮し、弾性力が変化する。このように、支持部２０は、２つの位置決め用つまみ４０による加圧力と固定用つまみ９０による抗圧部材５０の加圧力によって３点支持されている。この状態を保ちながら、位置決め用つまみ４０のねじ込み量を調整することにより、支持部２０を保持部３０に対して光軸Ｌ１と直交する方向に移動させ、支持部２０の位置を調整することができる。
【００２４】
また、固定用つまみ９０をねじ込み、加圧力を増大させることで、コイルバネ５２の弾性力を強めることができる。さらに、固定用つまみ９０のネジ部９２はコイルバネ５２よりも長いネジ長さを有するように構成しているため、固定用つまみ９０をねじ込み、コイルバネ５２を圧縮させ、密着させれば、コイルバネ５２の遊動をなくすことができる。このため、支持部２０は保持され、位置決め調整及び固定がおこなえる。
【００２５】
以上のように本第１の実施の形態によれば、光学装置１０に取り付けられる支持部２０は保持部３０に対して光軸と直交する方向に移動可能に保持され、支持部２０の位置決め調整操作及び固定操作は、２本の位置決め用つまみ４０と固定用つまみ９０によって、行うことができる。そして輸送時等に発生する振動については、固定用つまみ９０のねじ込み操作によって、抗圧部材５０のコイルバネ５２を圧縮して密着させコイルバネ５２の遊動をなくするように構成しているため、共振を防止できると共に支持部２０を確実に固定して保護することが可能となる。
【００２６】
図３、図４は本発明の第２の実施形態に係る光学装置の位置決め固定装置の概略構成図を示し、図３は装置の光軸と平行な方向から見た断面で示す構造図、図４はＢＢ線に沿って矢印方向から見た装置の断面で示す構造図である。
【００２７】
本第２の実施の形態は、第１の実施の形態と比べ、固定用つまみ９００を位置決め用つまみ４０と同一側の側面に位置するように配設したことに伴って、必要な構成部分を新しく設けた点が異なっている。尚、以下の説明では、図１、図２と同一機能の部分には同一符号を付している。
【００２８】
本実施の形態では、第１の実施の形態と比べ、保持部３００の形状が異なっているが、その保持部３００に設けられた位置決め用つまみ４０でオスアリ部２３の外側周壁部分を加圧する構造は第１の実施の形態と同様であるため、その詳細の説明は省略し、位置決め用つまみ４０に対抗する力を加えるために設けられた固定用つまみ９００にリンクした構成について説明する。
【００２９】
保持部３００の２つの位置決め用つまみ４０の設けられている面と、オスアリ部２３を中心として対称な面には、凹部３２の中心に向かって貫通した摺動孔３０５が設けられている。この摺動孔３０５には、支持部２０のオスアリ部２３の外周部に当接し、２つの位置決め用つまみ４０の加圧力Ｆ１，Ｆ２に対向した力Ｆ３を加えるための抗圧部材５０が挿入されている。抗圧部材５０はオスアリ部２３の外側周壁部分と接するボール５１と伸縮により弾性力を発生させるコイルバネ５２から構成され、コイルバネ５２の端面に接したボール５１がコイルバネ５２の弾性力によって支持部２０のオスアリ部２３の外側周壁部分を加圧するようになっている。
【００３０】
この抗圧部材５０のコイルバネ５２の一端に円筒形状の加圧部材６００が当接し、摺動孔３０５の中で摺動可能な状態になっている。抗圧部材５０と接する加圧部材６００の他端６０１は球状になっており、レバー７０の一端と接している。レバー７０は、ピン７１により回転自在に保持部３００に保持されている。また、レバー７０の他端側には、摺動棒８０が当接している。摺動棒８０は、円筒状の形状であり、レバー７０と当接している先端部８１が球状になっている。摺動棒８０は、保持部３００に設けられた摺動孔３６によって、２つの位置決め用つまみ４０の加圧方向と同一方向に摺動するようになっている。
【００３１】
摺動棒８０の他端には、固定用つまみ９００の先端部９０３が当接している。固定用つまみ９００は、固定操作するための柄部９０１と保持部３００のネジ孔３７にねじ込むためのネジ部９０２を有し、先端部９０３が球状に形成されている。保持部３００に設けられた、固定用つまみ９００のネジ孔３７は、２つの位置決め用つまみ４０のねじ込み方向と一致しており、固定用つまみ９００と２つの位置決め用つまみ４０は、保持部３００の側面３８側から位置決め調整操作及び固定操作できるようになっている。また、摺動棒８０には、止め輪８３が取付けられており、摺動棒８０の摺動範囲は止め輪８０と保持部３００が接することで、制限されている。
【００３２】
２つの位置決め用つまみ４０のねじ込み操作によって、その先端部４３に当接した支持部２０のオスアリ部２３の外側周壁部分には光軸Ｌ１側方向の加圧力Ｆ１、Ｆ２と保持部３００の凹部３２底面側への押圧力Ｆ４が働く。加圧力は、抗圧部材５０のボール５１に伝わり、コイルバネ５２に作用する。コイルバネ５２はこの加圧力により、伸縮作用を起こし、コイルバネ５２の他端に当接した加圧部材６００がレバー７０側を押圧する。これにより、レバー７０には回転力Ｍ１が発生する。
【００３３】
レバー７０の他端に当接している摺動棒８０は、レバー７０の回転力Ｍ１によって、他端に接している固定用つまみ９００の先端部９０３を加圧する。固定用つまみ９００は、保持部３００にねじ込まれて位置決めされており、この加圧力に対向する力を発生させている。固定用つまみ９００の進退によって、その先端部９０３に当接した摺動棒８０に加わる加圧力を増減させ、この加圧力が、レバー７０を介して、加圧部材６００に伝わり、コイルバネ５２に作用する。２つの位置決め用つまみ４０による加圧力と固定用つまみ９００の加圧力によって、コイルバネ５２は、伸縮し、弾性力が変化する。
【００３４】
このように、支持部２０は、２つの位置決め用つまみ４０による加圧力と固定用つまみ９００による抗圧部材５０の加圧力によって３点支持されている。この状態を保ちながら、位置決め用つまみ４０のねじ込み量を調整することにより、支持部２０を保持部３００に対して光軸Ｌ１と直交する方向に移動させ、支持部２０の位置を調整することができる。また、固定用つまみ９００をねじ込み、加圧力を増大させることで、コイルバネ５２の弾性力を強めることができる。さらに、固定用つまみ９００のネジ部９０２はコイルバネ５２よりも長いネジ長さを有するように構成しているため、固定用つまみ９００をねじ込み、コイルバネ５２を圧縮させ、密着させれば、コイルバネ５２の遊動をなくすことができる。
【００３５】
次に、固定用つまみ９００のねじ込みを緩めて後退させると、摺動棒８０は固定用つまみ９００とともに後退するが、止め輪８３が保持部３００に接触することでその後退範囲は制限され、支持部２０を加圧する抗圧部材５０の最低力量が決められる。止め輪８３の取付け位置は、２つの位置決め用つまみの後退によって、支持部２０に加圧力が作用しない場合においても、支持部２０が保持部３００の凹部３２の側面３９と抗圧部材５０とにより、保持できる加圧力を発生させる力量位置に設定されている。また、摺動棒８０とレバー７０の接点７３から回転軸Ｒ０までの距離Ｄ２は加圧部材６００とレバー７０の接点７２から回転軸Ｒ０までの距離Ｄ１に比べて、短くなっている。摺動棒８０の進退量、すなわち、固定用つまみ９００の進退量は、このレバ７０ーの働きによって、増幅され、加圧部材６００に伝えられる。
【００３６】
以上のように本第２の実施の形態によれば、光学装置１０が取りつく支持部２０は保持部３００に対して移動可能に保持され、支持部２０の位置決め調整操作及び固定操作は、保持部３００の側面３８に設けられた２本の位置決め用つまみ４０と固定用つまみ９００とによって操作することができる。そして固定用つまみ９００の操作によって、抗圧部材５０のコイルバネ５２が圧縮して密着し、コイルバネ５２の遊動が阻止された状態で支持部２０は固定される。これにより、コイルバネの遊動による共振を防止することができるため、輸送時等に発生する振動の影響が最小限に抑えられ、支持部２０に組みつけられた光学装置１０を振動から保護できる。
【００３７】
また本実施の形態では、その光学装置１０に内蔵される絞り等の装置の位置決め操作と固定操作が同一方向からおこなえるため、装置組付け用の投光装置のように各操作部位をまとめて配置する必要がある場合に適用することができ、また設置スペース上の制約を緩和することが可能となるため非常に有用なものである。更に、位置決め操作と固定操作が同一方向からおこなえるため、操作性の向上も図ることができる。
【００３８】
ここで「同一方向から操作できる」とは、操作時において大きく姿勢又は手の位置を変化させることなく操作ができることを趣旨としている。
【００３９】
また、輸送時の固定操作は、固定用つまみ９００の進退量が回転可能なレバー７０を介して、加圧部材６００に増幅して伝えられるため、固定用つまみ９００の微量操作で、支持部２０を迅速に固定することができる。
【００４０】
図５，６は本発明の第３の実施形態に係る光学装置の位置決め固定装置の概略構成図を示し、図５は装置の光軸と平行な方向から見た断面で示す構造図、図６はＣＣ線の矢印方向から見た装置の断面で示す構造図である。図１、２、３、４と同一機能の部位には同一符号を付している。
【００４１】
本実施の形態では、保持部３１０、レバー７１０、摺動部材８１０、固定用つまみ９１０及びそれぞれの構成部材を除き、第２の実施例と同様の構成である。
【００４２】
保持部３１０には、第２の実施例と同様に、支持部２０のオスアリ部２３が挿入される凹部３２と照明光束を通過させる孔部（図示していない）と２つの位置決め用つまみ４０がねじ込まれるネジ孔部３３，３４と抗圧部材５０および加圧部材６１０が挿入される摺動孔３１５が設けられている。
【００４３】
レバー７１０は、１端がピン７１１にて回動可能に保持されている。レバー７１０の回動先端部に加圧部材６１０が当接し、その接触点７１２とレバー７１０の回転軸Ｒ１との中間に、円筒部材８１１を備えた摺動部材８１０が当接しており、摺動部材８１０は、加圧部材６１０に加わる加圧方向と同一方向にレバー７１０を加圧できるようになっている。摺動部材８１０は、保持部３１０に設けられた摺動孔３１６を摺動し、摺動部材８１０に取付けられた突起部材８１２が、摺動孔３１６の長手方向に開けられた長溝３１７にはめ込まれ、回転を規制している。摺動部材８１０の移動範囲は、長溝３１７にはめ込まれた突起部材８１２の移動範囲によって制限されている。この摺動部材８１０の移動範囲の規制手段のみであれば、第２の実施の形態に示したように、止め輪８３による方法で制限しても構わない。
【００４４】
摺動部材８１０の他端には、段つきビス８１４が挿入される孔８１３が設けられている。段つきビス８１４は、摺動部材８１０の孔８１３を通して、固定用つまみ９１０の先端に明けられたネジ孔９１１にねじ込まれ、固定用つまみ９１０が回転可能な状態を保ちながら、摺動部材８１０に接続されている。そして、第２の実施の形態と同様に、保持部３１０に設けられた、固定用つまみ９１０のネジ孔３１８は、２つの位置決め用つまみ４０のねじ込み方向と一致しており、固定用つまみ９１０と２つの位置決めつまみ４０は、保持部３１０の同一側面側から操作できるようになっている。
【００４５】
固定用つまみ９１０は、螺合により回転を伴いながら後退し、摺動部材８１０を力Ｆ５で引き込む。摺動部材８１０は、摺動孔３１６に設けられた長溝３１７と突起部材８１２によって回転を阻止されながら、摺動孔３１６の中を摺動し、摺動部材８１０の先端部に備えられた円筒部材８１１でレバー７１０を引きこみ、回転力Ｍ２を発生させる。この回転力Ｍ２によって、第２の実施の形態と同様に、加圧部材６１０が抗圧部材５０を加圧するようになっている。
【００４６】
以上のように本第３の実施の形態によれば、第２の実施の形態と同様に、光学装置１０が取り付けられた支持部２０は保持部３１０に対して移動可能に保持され、支持部２０の位置決め調整操作及び固定操作は、２本の位置決め用つまみ４０と固定用つまみ９１０によって、保持部３１０の同一側面側からおこなうことができる。輸送時等に発生する振動についても同様に、固定用つまみ９１０はコイルバネ５２よりも長いネジ長さを有するように構成しているため、固定用つまみ９１０の操作によって、抗圧部材５０のコイルバネ５２を圧縮して密着させ、コイルバネ５２の遊動をなくすことで、支持部２０を確実に固定し、保護することができる。また、第２の実施の形態と同様に、決め操作と固定操作が同一方向からおこなえるため、操作性の向上も図ることができる。
【００４７】
尚、本実施の形態では回動自在に支持されたレバー７１０を介して加圧力を加圧部材６１０に伝えているが、本発明はこの形態に限定されるものではなく、例えば図７に示すように、摺動部材部材８１０の端部に作用部材７５０を設け、この作用部材７５０の一端に加圧部材６１０が当接するように構成しても良い。このように本発明はレバー７１０を用いて回動自在に構成しなくても実現することができる。
【００４８】
以上説明したように、本発明は光学装置の位置決め固定装置として、光学装置の絞り装置、レンズの芯出し装置、光軸の芯出し装置等に広く適用することが可能である。
【００４９】
尚、本発明は以下のように表現することができる。
【００５０】
本発明は、オスアリ部を有する被保持部と、被保持部のオスアリ部が挿入可能で且つ光軸方向に直交する方向に移動自在な凹部を有する保持部と、保持部の凹部に向けて移動可能に配設され凹部に挿入されたオスアリ部に当接させて被保持部の位置決めを行う少なくとも２つの位置決め用部材と、保持部に配設された位置決め用部材の位置に対向するように凹部に向けて移動可能に配設され凹部に挿入されたオスアリ部に当接する当接部材と、オスアリ部に当接する当接部材に加圧力を加えることが可能な弾性部材と、保持部に配設されオスアリ部に当接する当接部材を前記弾性部材の弾性を有する状態の加圧保持と前記弾性部材の弾性を無くした状態の加圧固定とを行う加圧部材と、保持部に支持され加圧部材のオスアリ部と対向する他端に当接するレバー部材と、保持部に配設された加圧部材の位置に対向する位置に配設されレバー部材を介して加圧部材の固定操作を行う固定用操作部材とを備えた位置決め固定装置であって、保持部は、レバー部材の長手方向の中間位置で該レバー部材を回動自在に支持し、レバー部材の一端が加圧部材のオスアリ部と対向する他端に当接されるようにしている位置決め固定装置である。
【００５１】
また本発明は、オスアリ部を有する被保持部と、被保持部のオスアリ部が挿入可能で且つ光軸方向に直交する方向に移動自在な凹部を有する保持部と、保持部の凹部に向けて移動可能に配設され凹部に挿入されたオスアリ部に当接させて被保持部の位置決めを行う少なくとも２つの位置決め用部材と、保持部に配設された位置決め用部材の位置に対向するように凹部に向けて移動可能に配設され凹部に挿入されたオスアリ部に当接する当接部材と、オスアリ部に当接する当接部材に加圧力を加えることが可能な弾性部材と、保持部に配設されオスアリ部に当接する当接部材を前記弾性部材の弾性を有する状態の加圧保持と前記弾性部材の弾性を無くした状態の加圧固定とを行う加圧部材と、保持部に支持され加圧部材のオスアリ部と対向する他端に当接するレバー部材と、保持部に配設された加圧部材の位置に対向する位置に配設されレバー部材を介して加圧部材の固定操作を行う固定用操作部材とを備えた位置決め固定装置であって、保持部は、レバー部材の一端の位置で該レバー部材を回動自在に支持し、レバー部材の他端が加圧部材のオスアリ部と対向する他端に当接されるようにしている位置決め固定装置である。
【００５２】
【発明の効果】
本発明の光学装置の位置決め固定装置によれば、絞りや光学部材を含む光学装置の位置を確実に調整・固定することができる。
【図面の簡単な説明】
【図１】本発明の第１の実施形態に係る光学装置の位置決め固定装置の概略構成を示す図。
【図２】本発明の第１の実施形態に係る光学装置の位置決め固定装置の概略構成を示す図。
【図３】本発明の第２の実施形態に係る光学装置の位置決め固定装置の概略構成を示す図。
【図４】本発明の第２の実施形態に係る光学装置の位置決め固定装置の概略構成を示す図。
【図５】本発明の第３の実施形態に係る光学装置の位置決め固定装置の概略構成を示す図。
【図６】本発明の第３の実施形態に係る光学装置の位置決め固定装置の概略構成を示す図。
【図７】本発明の他の実施形態に係る光学装置の位置決め固定装置の概略構成を示す図。
【図８】従来の芯出し調整機構付きの絞り開閉装置の概略構成を示す図。
【符号の説明】
２０…支持部
２３…オスアリ部
３０…保持部
３００…保持部
３１０…保持部
３２…凹部
３３…ネジ孔部
３４…ネジ孔部
３５…摺動孔
３０５…摺動孔
３１５…摺動孔
３６…ネジ孔部
３８…側面
４０…位置決め用つまみ
５０…抗圧部材
５２…コイルバネ
６０…加圧部材
７０…レバー
６００…加圧部材
６１０…加圧部材
７１０…レバー
７２…接触点
７１２…接触点
７３…接触点
７１３…接触点
８０…摺動棒
８１０…摺動棒
９０…固定用つまみ
９００…固定用つまみ
９１０…固定用つまみ
【図１】
0004115698.tif 000002
【図２】
0004115698.tif 000003
【図３】
0004115698.tif 000004
【図４】
0004115698.tif 000005
【図５】
0004115698.tif 000006
【図６】
0004115698.tif 000007
【図７】
0004115698.tif 000008
【図８】
0004115698.tif 000009